(57)【要約】      （修正有）【課題】快適な就寝環境を提供することの出来る安眠支援ブースの提供。【解決手段】ユーザーの頭部を覆うように設置可能な安眠支援ブース１０であって、アーチ状部材１１と、このアーチ状部材１１の後方を遮蔽する後方遮蔽板１２と、このアーチ状部材１１の底面を支持する底面支持板１３とからなり、前記アーチ状部材１１および前記後方遮蔽板１２は、吸音パネルからなっている。この安眠支援ブース１０は、前方が開放した略半円柱状の中空区画体であり、前方下側には、ユーザーの肩に対応する位置に切れ込みが設けられている。【選択図】図１
2015047244.tif 000002
【特許請求の範囲】
【請求項１】
ユーザーが就寝するにあたって、このユーザーの頭部を覆うように設置可能な安眠支援ブースであって、アーチ状部材と、このアーチ状部材の後方を遮蔽する後方遮蔽板と、このアーチ状部材の底面を支持する底面支持板とからなり、前記アーチ状部材および前記後方遮蔽板は、吸音パネルからなることを特徴とする安眠支援ブース。
【請求項２】
前記安眠支援ブースは、前方が開放した略半円柱状の中空区画体であり、前記アーチ状部材の前記後方遮蔽板で遮蔽されていない前方下側には、ユーザーの肩に対応する位置に切れ込みが設けられている請求項１に記載の安眠支援ブース。
【請求項３】
前記底面支持板も、吸音パネルからなる請求項２に記載の安眠支援ブース。
【請求項４】
前記吸音パネルは、ニードルフェルト、ベストレイ、ソフトレイ、グラスウール、サーモウール、フェノール樹脂、ポリウレタンの少なくとも１つを含む吸音材料からなる請求項３に記載の安眠支援ブース。
【請求項５】
前記吸音パネルは、複数の吸音層の積層体からなり、
前記吸音層は、接着剤によって互いに前記積層体として一体的に接合されている請求項４に記載の安眠支援ブース。
【請求項６】
前記接着剤は接合後も固化することなく、使用時においてその粘性を保持した状態を維持する粘性接着剤であり、調音手段としても機能する請求項５に記載の安眠支援ブース。
【請求項７】
前記積層体は、隣接する前記吸音層の間に樹脂シートを挟んで積層されている請求項６に記載の安眠支援ブース。
【請求項８】
前記樹脂シートは厚み０．１ｍｍ〜０．５ｍｍのビニールシートである請求項７に記載の安眠支援ブース。
【請求項９】
前記樹脂シートには、複数個の開口部が設けられており、前記接着剤はこの開口部においては、前記吸音層を直接接合し、開口部以外では前記樹脂シートを介して前記吸音層を接合する請求項８に記載の安眠支援ブース。
【発明の詳細な説明】
【技術分野】
【０００１】
本発明は、快適な就寝環境を提供することの出来る安眠支援ブースに関する。
【背景技術】
【０００２】
人生の約３分の１を占めるとされる睡眠の重要性は言うまでもない。より良い睡眠を取る為の条件の１つは、静かな環境であろう。イヤーマフや耳栓などを利用することも効果的ではあるが、煩わしいだけではなく、寝ている間に外れたりして就寝用としては適当ではない。また、部屋を防音室にすることも考えられるが、多額の費用がかかるので、一般的な方法とはいえない。
【０００３】
そこで、特許文献１では、ベットの頭側全体を覆って、遮音スペースを形成する方法が提案されている。この技術では、大きな部屋の中に、小さな寝室をつくり、保温（断熱）性能や吸音（防音）性能を向上して、睡眠のために必要な範囲だけを快適に保つとしている。
【０００４】
また、特許文献２では、就寝時に、頭部または体に被せるようにして覆うことのできる安眠遮蔽カバーが提案されている。この技術では、頭部や体に密着しないので、うっとうしさや息苦しさがない静かに落ち着いて眠ることができるとしている。
【先行技術文献】
【特許文献】
【０００５】
【特許文献１】特開２００１−２０４６１０
【特許文献２】特開平９−１５４６７８
【発明の概要】
【発明が解決しようとする課題】
【０００６】
しかしながら、特許文献１の技術は、その構成がやや大袈裟でありコストがかかる上に、別の寝床へ移動させることは困難であるという問題がある。また、特許文献２の安眠遮蔽カバーは、寝床から寝床へ移動させることは簡単にできるものの、そのもの自体が比較的大きいので、常にベットに設置しておくのでなければ収納に一定の場所をとってしまう。
【０００７】
更に、これらの技術は、防音効果を考慮した素材を用いるということが示唆されるれているものの、実際にはその効果は余り高いものとは言えない。すなわち、特許文献２のような構造では開口部がある為に、音はそこから回りこんでしまい、効果は限定的である。また、囲んでいる為に音が反響し圧迫感があるという問題もある。
【０００８】
一方、特許文献１では、上側は鰭（ひれ）で隙間なく覆われているように見えるが、鰭には高い防音効果は期待できない。また、完全に閉鎖的なスペースとなっている為に、特許文献２以上に音がこもり圧迫感がある。
【０００９】
そこで、本発明の目的は、手軽に利用できると共に自然で快適な就寝環境を形成することの出来る安眠支援ブースを提供することである。
【課題を解決するための手段】
【００１０】
上記課題を解決するために、本発明の安眠支援ブースは、ユーザーが就寝するにあたって、このユーザーの頭部を覆うように設置可能な安眠支援ブースであって、アーチ状部材と、このアーチ状部材の後方を遮蔽する後方遮蔽板と、このアーチ状部材の底面を支持する底面支持板とからなり、前記アーチ状部材および前記後方遮蔽板は、吸音パネルとからなる。
【００１１】
好ましい実施例では、前記安眠支援ブースは、前方が開放した略半円柱状の中空区画体であり、前記アーチ状部材の前記後方遮蔽板で遮蔽されていない前方下側には、ユーザーの肩に対応する位置に切れ込みが設けられている。
【００１２】
また、好ましい実施例では、前記底面支持板も、吸音パネルからなっている。
【００１３】
更に、好ましい実施例では、前記吸音パネルは、ニードルフェルト、ベストレイ、ソフトレイ、グラスウール、サーモウール、フェノール樹脂、ポリウレタンの少なくとも１つを含む吸音材料からなる。
【００１４】
更に、好ましい実施例では、前記吸音パネルは、複数の吸音層の積層体からなり、前記吸音層は、接着剤によって互いに前記積層体として一体的に接合されている。
【００１５】
更に、好ましい実施例では、前記接着剤は接合後も固化することなく、使用時においてその粘性を保持した状態を維持する粘性接着剤であり、調音手段としても機能する。
【００１６】
更に、好ましい実施例では、前記積層体は、隣接する前記吸音層の間に樹脂シートを挟んで積層されている。
【００１７】
更に、好ましい実施例では、前記樹脂シートは厚み０．１ｍｍ〜０．５ｍｍのビニールシートである。
【００１８】
更に、好ましい実施例では、前記樹脂シートには、複数個の開口部が設けられており、前記接着剤はこの開口部においては、前記吸音層を直接接合し、開口部以外では前記樹脂シートを介して前記吸音層を接合する。
【発明の効果】
【００１９】
本発明に係わる安眠支援ブースを用いれば、自然で快適な就寝環境を形成することが出来る。また、本発明に係わる安眠支援ブースは、その設置やかたづけも容易に行うことが出来る。
【図面の簡単な説明】
【００２０】
【図１】図１は、本発明に係わる実施例の安眠支援ブースを示す斜視図である。
【図２】図２は、本発明に係わる実施例の安眠支援ブースを示す正面図である。
【図３】図３は、本発明に係わる実施例の安眠支援ブースを示す背面図である。
【図４】図４は、本発明に係わる実施例の安眠支援ブースを示す右側面図である。
【図５】図５は、本発明に係わる実施例の安眠支援ブースを示す左側面図である。
【図６】図６は、本発明に係わる実施例の安眠支援ブースを示す平面図である。
【図７】図７は、本発明に係わる実施例の安眠支援ブースを示す底面図である。
【図８】図８は、本発明に係わる実施例の安眠支援ブースの使用状態を示す図である。
【図９】図９は、本発明に係わる実施例の安眠支援ブースの各部材を、長尺素材から切り出す方法の具体例を示す図である。
【図１０】図１０は、本発明に係わる実施例の安眠支援ブースの各部材を、長尺素材から切り出す方法の別の具体例を示す図である。
【図１１】図１１は、本発明に係わる実施例の安眠支援ブースの各部材を、長尺素材から切り出す方法の更に別の具体例を示す図である。
【図１２】図１２は、本発明に係わる実施例の安眠支援ブースの各部材を、長尺素材から切り出す方法の更に別の具体例を示す図である。
【図１３】図１３は、本発明に係わる実施例の安眠支援ブースの組立方法の具体例を示す図である。
【図１４】図１４は、本発明に係わる実施例の安眠支援ブースのアーチ状部材を示す図である。
【図１５】図１５は、本発明に係わる実施例の安眠支援ブースの底面支持板を示す図である。
【図１６】図１６は、本発明に係わる実施例の安眠支援ブースの組立方法の具体例を示す図である。
【図１７】図１７は、本発明に係わる実施例の安眠支援ブースの後方遮蔽板を示す図である。
【図１８】図１８は、本発明に係わる実施例の安眠支援ブースの収納方法の具体例を示す図である。
【図１９】図１９は、本発明に係わる実施例の安眠支援ブースの吸音パネルの吸音構造を示す断面図である。
【図２０】図２０は、本発明に係わる実施例の安眠支援ブースの吸音パネルに挿入されているビニールシートに設けられた開口部を示す平面図である。
【発明を実施するための形態】
【００２１】
以下、図を参照しながら本発明の安眠支援ブースの具体例を説明する。図１は、本発明の実施例による安眠支援ブースを示す斜視図である。この安眠支援ブース１０は、前方が開放した略半円柱状の中空区画体であり、アーチ状部材１１、後方遮蔽板１２、底面支持板１３とからなっている。アーチ状部材１１には、切れ込み１４が設けられている。
【００２２】
また、図２、図３、図４、図５、図６、図７は、夫々、この安眠支援ブース１０の正面図、背面図、右側面図、左側面図、平面図および底面図である。ここで、左側面図は、右側面図と対象となっている。
【００２３】
安眠支援ブース１０の横幅、すなわち底面支持板１３の横幅は、人の肩幅の程度であり概ね４０ｃｍ〜５０ｃｍとなっている。この例では、４５ｃｍとする。また、高さは概ね３０ｃｍ〜４０ｃｍとなっている。この例では、３５ｃｍとする。安眠支援ブース１０の長さ（奥行き）、すなわちアーチ状部材１１の長さは、概ね５０ｃｍ〜６０ｃｍとなっている。この例では、５５ｃｍとする。
【００２４】
この安眠支援ブース１０を使用する際には、後述のような方法で組み立てた後、図８に示したようにベットや布団の頭の位置に置き、適宜枕を中に入れて頭を載せる。これによりユーザーは、静かな環境で就寝を行うことが出来る。また、肩の位置には切れ込み１４が設けられているので、寝返りなどで少々動いても安眠支援ブース１０と肩がぶつかってしまうことは少ない。
【００２５】
後述の通り、アーチ状部材１１、後方遮蔽板１２および底面支持板１３は、夫々、吸音パネルからなっている。この吸音パネルは長尺素材として製造され、そこから各部材を切り出して利用される。従って、素材を効率よく利用して生産性を高めることが望ましい。
【００２６】
図９を参照すると、長尺素材１６から各部材の切り出しの具体例が示されている。ここでアーチ状部材１１は左右の二枚１１Ｒ、１１Ｌに分離して切り出される。これは後述の通り、安眠支援ブース１０を小さく収納するためである。また、アーチ状部材１１の各片１１Ｒ、１１Ｌと同じ幅の底面支持板１３が長尺素材１６の幅方向に２枚並んで切り出される。
【００２７】
更に、後方遮蔽板１２はアーチ状部材１１の隅から、２枚（１２ｈ）に分けて切り出される。後方遮蔽板１２が切り出された後は、切れ込み１４が形成されるので、長尺素材１６を無駄なく利用することが出来る。
【００２８】
図９の実線部分で、安眠支援ブース１０の２体を組み立てることが出来る。また、後方遮蔽板１２は２枚に分けなくてもよく。図１０に示したように、一枚の後方遮蔽板１２として切り出しても良い。ここで図１０に示した分で、やはり安眠支援ブース１０の２体を組み立てることが出来る。
【００２９】
更に、底面支持板１３は、ベットや布団に直接接しているので、アーチ状部材１１や後方遮蔽板１２と比較して内部空間に対する影響は小さいと考えられる。従って、コストを低減するためにより安価なプラスチック製の板材とすることもできる。その場合は、図１１や図１２に示したように、長尺素材１６からはアーチ状部材１１や後方遮蔽板１２のみを切り出すようにする。
【００３０】
以上のように、アーチ状部材１１、後方遮蔽板１２、底面支持板１３を組み合わせて、図１に示したような安眠支援ブース１０を組み立てることが出来る。これらの各部材には、適宜面ファスナーが設けられており、部材間の接続固定が容易に行えるようになっている。
【００３１】
ここで、面ファスナーとは、マジックテープ（登録商標）、マジックファスナー（登録商標）、ベルクロ(ファスナー)、フックアンドループテープ等の商品名で知られているもので、雌ファスナーと雄ファスナーからなる。接続固定したい一方には雌ファスナーを設け、他方には雄ファスナーを設ける。雄ファスナーは多数の微少なカギ状フックからなり、対応する雌ファスナーの多数の微少なループと係合する構造となっている。
【００３２】
また、後述の吸音パネルは比較的柔らかな構造を持っているので、強度を高める為にアーチ状部材１１の外側にプラダン１１２（図１３参照）が設けられている。このプラダン１１２は、外部からの音響を跳ね返すので、防音性能の向上にも寄与する。すなわち、アーチ状部材１１の各片１１Ｒ、１１Ｌには、外側にプラダン１１２が貼り付けられ、更に各片１１Ｒ、１１Ｌの接合部分を覆うように丈夫なビニールファブリックの補強シート１１５（図１４参照）が貼り付けられている。
【００３３】
次に、図１３を参照して、この安眠支援ブース１０の組立方法を説明する。まず、アーチ状部材１１は平坦となっているので、プラダン１１２が設けられている面を上にしてアーチ状に曲げる。ここで、アーチ状部材１１の２つの端部面には面ファスナー１１３が設けられており、この面ファスナー１１３が真下を向くように曲げていく。
【００３４】
一方、図１５に示したように、底面支持板１３には、その縁に沿って面ファスナー１３３が設けられている。この面ファスナー１３３を、アーチ状部材１１側の面ファスナー１１３に押し付けることで、両者をしっかりと接続固定する。言うまでもなく、面ファスナー１３３と面ファスナー１１３は、一方が雄ファスナーであり、他方が雌ファスナーである。
【００３５】
同様に、図１６に示したように、後方遮蔽板１２の縁に設けられている面ファスナー１２３（図１７参照）と、底面支持板１３の後部端面に設けられている面ファスナー１３４を接続固定すれば、安眠支援ブース１０の組み立てが完了する。ここでは後方遮蔽板１２が２つに分離されているので、後方遮蔽板１２の半片１２ｈ同士を連結するための面ファスナー１２３ｈも設けられている。
【００３６】
この安眠支援ブース１０を収納するには、先ず、上記の通り面ファスナーで連結されている各部材を分解する。そして、図１８に示したように、アーチ状部材１１をまっすぐにしてから、図１３とは逆向きに半分に折りたたむ。アーチ状部材１１の各片１１Ｒ、１１Ｌは分離しているので、完全にフラットにできる。そして、後方遮蔽板１２および底面支持板１３と共に収納しておく。
【００３７】
本発明においては、各部材を構成する吸音パネルが非常に重要となっている。この安眠支援ブース１０では、吸音パネルの一例として、株式会社ハウス１１９から販売されている「ルームクリエータ」を利用する。
【００３８】
ルームクリエータは、優れた吸音素材であり、図１９に示したような吸音構造を持っている。これは、ニードルフェルト、ベストレイ、ソフトレイ、グラスウール、サーモウールといった材質の吸音シート２１を２枚積層させ、間に音波拡散フィルムとして機能する薄いビニールシート（樹脂シート）２３を挟んで接着させたものである。吸音シート２１の他の材質としては、フェノール樹脂、ポリウレタンなどがある。一枚の吸音シート２１の厚みは１〜２ｃｍであり、ビニールシート２３の厚みは０．１ｍｍ〜０．５ｍｍ程度である。また、内側の面は布２５が貼ってある。外側の面には、プラダン１１２が設けられており、全体として、２〜４ｃｍ程度となる。
【００３９】
ビニールシート２３は、図２０の平面図に示したように、多数の円形開口部２７が設けられている。例えば、開口部２７の直径は２ｃｍで、互いの間隔は７ｃｍである。このような開口部２７を設けることで、入力する音波を横方向に散乱させ、吸音シート２１による吸音効果を高めることが出来る。また、開口部２７は、入力する音波の一部を通過させることにより、反射と透過のバランスを取るという調音機能も持っている。
【００４０】
ビニールシート２３と吸音シート２１とは粘性接着剤によって接着されている。また、円形開口部２７越しに、吸音シート２１同士が粘性接着剤によって接着されている。この粘性接着剤は、ビニールシート２３と吸音シート２１との間に、一定の粘性を保って介在する。
【００４１】
また、この粘性接着剤は、開口部２７を介して、吸音シート２１間にも、一定の粘性を保って介在する。すなわち、使用時においても完全に硬化せず、ネバネバした状態を保っているという点が重要である。これにより優れた吸収特性および調音特性を実現する。
【００４２】
このような吸音構造は、国際出願（国際公開番号：ＷＯ２０１２／１３７３５３）に記載されている。その特徴としては、低周波から高周波まで広い帯域において優れた吸音性能を持っていることにある。
【００４３】
一般に、遮音といった場合、大きく分けて２つの性能を考える必要がある。一つは、そのパネルに入射する音波を熱エネルギーに変換してしまう吸収性能である。もう一つはそのパネルに入射する音波を通過させずに反射する反射性能である。
【００４４】
高い反射性能を持った素材で頭全体を完全に覆った場合、理想的な安眠環境が形成されるかといえば、それは誤りである。確かに、外からの音は内部へ入りにくいが、内部で音が反響してこもってしまい、目をつむっても圧迫感がある。狭い空間で感じる息苦しさや、不快な音の響きというものは、反響音によるものが大きい。これは、完全な閉鎖空間だけではなく、壁の近くでも感じるものである。
【００４５】
この安眠支援ブース１０では、外からの音を完全に遮断するのではなく、耳障りな反響音を低減できる。特に、３００Ｈｚ近辺と５５０Ｈｚ近辺は音の籠りを感じる周波数帯であり、この周波数帯を中心に音の吸収特性が高いことが実験で確認されている。
【００４６】
以上のように、快適な就寝環境という意味では、不快でない音まで無理して取り除く必要な無く、自然な音響空間の形成が重要である。従って、吸音パネルの役割は、単なる防音というだけではなく、音を調整する調整パネルといったものもある。
【産業上の利用可能性】
【００４７】
本発明に係わる安眠支援ブースを用いれば、自然で快適な就寝環境を形成することが出来ると共に簡単な構成で設置やかたづけも容易に行うことが出来る。
【符号の説明】
【００４８】
１０  安眠支援ブース
１１  アーチ状部材
１１Ｒ  アーチ状部材の各片
１１Ｌ  アーチ状部材の
１２  後方遮蔽板
１２ｈ  後方遮蔽板の半片
１３  底面支持板
１６  長尺素材
２１  吸音シート
２３  ビニールシート
２５  布
２７  円形開口部
１１２  プラダン
１１３  面ファスナー
１１５  補強シート
１２３  面ファスナー
１２３ｈ  面ファスナー
１３３  面ファスナー
１３４  面ファスナー
【図１】
2015047244.tif 000003
【図２】
2015047244.tif 000004
【図３】
2015047244.tif 000005
【図４】
2015047244.tif 000006
【図５】
2015047244.tif 000007
【図６】
2015047244.tif 000008
【図７】
2015047244.tif 000009
【図８】
2015047244.tif 000010
【図９】
2015047244.tif 000011
【図１０】
2015047244.tif 000012
【図１１】
2015047244.tif 000013
【図１２】
2015047244.tif 000014
【図１３】
2015047244.tif 000015
【図１４】
2015047244.tif 000016
【図１５】
2015047244.tif 000017
【図１６】
2015047244.tif 000018
【図１７】
2015047244.tif 000019
【図１８】
2015047244.tif 000020
【図１９】
2015047244.tif 000021
【図２０】
2015047244.tif 000022